(57)【要約】【課題】内部に侵入した雨水をより好適に排出することのできる筐体を得ること。【解決手段】筐体は、電子装置１１を内部に収納可能な電子装置収納部３ａが設けられた略直方体形状の箱型形状を呈するとともに、電子装置収納部の背面側を覆う背面板３１と、背面板３１の周囲に立設された天面板３２、１対の側面板３３、および底面板３４とを有し、背面板３１と対向する面が、天面板３２、１対の側面板３３、および底面板３４に囲まれた開口部３６となる本体ケース３と、本体ケース３に取り付けられて、開口部３６をふさぐ前面パネル２と、を備え、底面板３４のうち電子装置収納部３ａを囲む部分の四隅には、水抜き穴６が形成される。【選択図】図２
2015012140.tif 000002
【特許請求の範囲】
【請求項１】
電子装置を内部に収納可能な電子装置収納部が設けられた略直方体形状の箱型形状を呈するとともに、前記電子装置収納部の背面側を覆う背面板と、前記背面板の周囲に立設された天面板、１対の側面板、および底面板とを有し、前記背面板と対向する面が、前記天面板、１対の前記側面板、および前記底面板に囲まれた開口部となる本体ケースと、
前記本体ケースに取り付けられて、前記開口部をふさぐ前面パネルと、を備え、
前記底面板のうち前記電子装置収納部を囲む部分の四隅には、水抜き穴が形成されることを特徴とする筐体。
【請求項２】
前記底面板の外側に配置されて、平面視において少なくとも一部の前記水抜き穴と重なるカバーと、
前記底面板と前記カバーとの間にすき間を形成させる間隔保持部と、をさらに備えることを特徴とする請求項１に記載の筐体。
【請求項３】
前記前面パネルは、前記背面板に対向する前面板と、前記前面板から前記背面板に向かう方向に立設されて前記底面板の外側を覆う前面パネル側下辺板とを有し、
前記カバーは、前記前面パネル側下辺板であり、
前記間隔保持部は、前記前面パネル側下辺板から底面板側に向けて突出形成された突起であることを特徴とする請求項２に記載の筐体。
【請求項４】
前記前面パネル側下辺板には、平面視において前記水抜き穴よりも前記前面板側となる位置に前面パネル側水抜き穴が形成されることを特徴とする請求項３に記載の筐体。
【請求項５】
前記本体ケースの裏面側に配置される裏面パネルをさらに備え、
前記裏面パネルは、前記背面板と対向する裏面板と、前記裏面板から前記背面板に向かう方向に立設されて前記底面板の外側を覆う裏面パネル側下辺板とを有し、
前記カバーは、前記裏面パネル側下辺板であり、
前記間隔保持部は、前記裏面パネル側下辺板から底面板側に向けて突出形成された突起であることを特徴とする請求項２〜４のいずれか１つに記載の筐体。
【請求項６】
前記裏面パネル側下辺板には、平面視において前記水抜き穴よりも前記裏面板側となる位置に裏面パネル側水抜き穴が形成されることを特徴とする請求項５に記載の筐体。
【請求項７】
前記カバーには、前記底面板への取付穴が形成され、
前記突起は、前記取付穴を前記底面板に向けて絞り加工して形成されることを特徴とする請求項３〜６のいずれか１つに記載の筐体。
【請求項８】
前記背面板を挟んだ前記電子装置収納部の反対側には、ヒートシンクを収納するヒートシンク収納空間が設けられることを特徴とする請求項１〜７のいずれか１つに記載の筐体。
【請求項９】
電子装置を内部に収納可能な電子装置収納部が設けられた略直方体形状の箱型形状を呈するとともに、前記電子装置収納部の背面側を覆う背面板と、前記背面板の周囲に立設された天面板、１対の側面板、および底面板とを有し、前記背面板と対向する面が、前記天面板、１対の前記側面板、および前記底面板に囲まれた開口部となる本体ケースと、
前記本体ケースに取り付けられて、前記開口部をふさぐ前面パネルと、を備え、
前記底面板のうち前記電子装置収納部を囲む部分には、その前面側となる二隅に水抜き穴が形成されるとともに、背面側よりも前面側が低くなる傾斜が設けられていることを特徴とする筐体。
【請求項１０】
電子装置を内部に収納可能な電子装置収納部が設けられた略直方体形状の箱型形状を呈するとともに、前記電子装置収納部の背面側を覆う背面板と、前記背面板の周囲に立設された天面板、１対の側面板、および底面板とを有し、前記背面板と対向する面が、前記天面板、１対の前記側面板、および前記底面板に囲まれた開口部となる本体ケースと、
前記本体ケースに取り付けられて、前記開口部をふさぐ前面パネルと、を備え、
前記底面板のうち前記電子装置収納部を囲む部分には、その背面側となる二隅に水抜き穴が形成されるとともに、前面側よりも背面側が低くなる傾斜が設けられていることを特徴とする筐体。
【請求項１１】
請求項１〜１０のいずれか１つに記載の筐体と、
前記本体ケースの内部に収容された電子装置と、を備えることを特徴とする屋外設置電子機器。
【発明の詳細な説明】
【技術分野】
【０００１】
本発明は、本発明は、筐体および屋外設置電子機器に関する。
【背景技術】
【０００２】
屋外に設置される電子機器においては、雨天時は雨に曝されることになるため、その筐体は防水構造となっている必要がある。しかしながら、例えば表示機能を有する屋外設置電子機器における表示画面部と筐体とのつなぎの部分や、屋外設置機器の設置やメンテナンスにおいて必要な筐体内部への扉と筐体外郭との接触部分を完全に防水構造にすることは困難であり、その部分からの雨水の浸入が避けられない場合がある。
【０００３】
浸入してしまった雨水が電子機器の通電部にかかると、機器の故障や事故につながるおそれがあるため、仮に雨水が浸入したとしてもそれを電子機器にかからないようにして排出することが望ましい。特許文献１には、筐体内に浸入した雨水をガイド板等により回路基板等にかからないようにしつつ、筐体底部に到達した雨水は筐体底部の前面側に設けられた排水孔から筐体外に排出する技術が開示されている。
【先行技術文献】
【特許文献】
【０００４】
【特許文献１】特開２００７−２９３１２０号公報
【発明の概要】
【発明が解決しようとする課題】
【０００５】
しかしながら、上記従来の技術によれば、筐体を設置する際に水平度が確保されず、仮に後方に傾いた状態で設置されたとすると、底部に到達した雨水が後方に流れるため、前方の排水孔から排出されず、底部に溜まってしまうことになる。溜まった雨水は機器の運転や日射による筐体内の温度上昇によって、溜まった雨水が蒸発して筐体内の湿度を高めることが想定される。そして、その後の温度変化によって、筐体内、例えば回路基板付近で結露することも考えられ、回路基板の故障や短絡事故、誤動作などの不具合を生じさせるおそれがあった。
【０００６】
本発明は、上記に鑑みてなされたものであって、内部に侵入した雨水をより好適に排出することのできる筐体を得ることを目的とする。
【課題を解決するための手段】
【０００７】
上述した課題を解決し、目的を達成するために、本発明は、電子装置を内部に収納可能な電子装置収納部が設けられた略直方体形状の箱型形状を呈するとともに、電子装置収納部の背面側を覆う背面板と、背面板の周囲に立設された天面板、１対の側面板、および底面板とを有し、背面板と対向する面が、天面板、１対の側面板、および底面板に囲まれた開口部となる本体ケースと、本体ケースに取り付けられて、開口部をふさぐ前面パネルと、を備え、底面板のうち電子装置収納部を囲む部分の四隅には、水抜き穴が形成されることを特徴とする。
【発明の効果】
【０００８】
本発明によれば、内部に侵入した雨水をより好適に排出することのできる筐体を得ることができるという効果を奏する。
【図面の簡単な説明】
【０００９】
【図１】図１は、本発明の実施の形態１にかかる筐体を備える屋外設置電子機器の正面図である。
【図２】図２は、図１に示すＥ−Ｅ線に沿った矢視断面図である。
【図３】図３は、図１に示す屋外設置電子機器の上面図である。
【図４】図４は、図１に示す屋外設置電子機器の底面図である。
【図５】図５は、図２に示すＡ部分の部分拡大断面図である。
【図６】図６は、図３に示すＢ部分の部分拡大断面図である。
【図７】図７は、図４に示すＣ部分の部分拡大図である。
【図８】図８は、本発明の実施の形態２にかかる屋外設置電子機器を側面側から見た断面図である。
【発明を実施するための形態】
【００１０】
以下に、本発明の実施の形態にかかる筐体を図面に基づいて詳細に説明する。なお、この実施の形態によりこの発明が限定されるものではない。
【００１１】
実施の形態１．
図１は、本発明の実施の形態１にかかる筐体を備える屋外設置電子機器１の正面図である。図２は、図１に示すＥ−Ｅ線に沿った矢視断面図である。図３は、図１に示す屋外設置電子機器１の上面図である。図４は、図１に示す屋外設置電子機器１の底面図である。図５は、図２に示すＡ部分の部分拡大断面図である。図６は、図３に示すＢ部分の部分拡大断面図である。図７は、図４に示すＣ部分の部分拡大図である。
【００１２】
屋外設置電子機器１は、例えば太陽光発電システムに用いられるパワーコンディショナである。屋外設置電子機器１は、筐体としての本体ケース３と前面パネル２とを備える。本体ケース３は、背面板３１、天面板３２、１対の側面板３３、および底面板３４を有する。
【００１３】
天面板３２、１対の側面板３３、および底面板３４は、背面板３１の周囲に立設され、本体ケース３は全体として箱型形状を呈する。本体ケース３のうち、背面板３１と対向する面は、天面板３２、１対の側面板３３、および底面板３４に囲まれた開口部３６となる。屋外設置電子機器１は、天面板３２を天面側に向け、底面板３４を底面側に向けるように設置される。
【００１４】
本体ケース３の内部は、インバータやコンバータ等の電子装置１１を収容する電子装置収納部３ａとなる。背面板３１を挟んだ電子装置収納部３ａの反対側には、ヒートシンク収納部３ｂが設けられる。本実施の形態では、天面板３２、１対の側面板３３、および底面板３４が、背面板３１よりもさらに背面側に延びて、ヒートシンク収納部３ｂが設けられる。ヒートシンク収納部３ｂの背面側は、閉塞板３５で塞がれる。このような本体ケース３の構成は、例えば、天面板３２、１対の側面板３３、底面板３４および閉塞板３５で１つの箱体を形成し、箱体の内部を電子装置収納部３ａとヒートシンク収納部３ｂとに仕切る仕切壁として背面板３１を設けることで実現される。
【００１５】
天面板３２等のうち、ヒートシンク収納部３ｂを囲む部分には、ヒートシンク１２の放熱効果を上げるための通気孔であるスリット４が形成されている。したがって、このスリット４部分からヒートシンク収納部３ｂ内に雨水が浸入することはある。
【００１６】
一方、天面板３２等のうち、電子装置収納部３ａを囲む部分にはスリットが形成されていない。そのため、電子装置収納部３ａには雨水が浸入しにくくなっている。ただし、屋外設置電子機器１の設置工事、各種設定、メンテナンスを行う際に、電子装置収納部３ａ内の電子装置１１を操作したり、点検したりできるように、電子装置収納部３ａの前面側に開口部３６が設けられており、その開口部３６を開閉可能な前面パネル２で覆うようにしている。前面パネル２は、背面板３１と対向する前面板２ａと、前面板２ａから背面板３１に向けて延びる折り返し部２ｂとを有する。
【００１７】
そして、電子装置収納部３ａと前面パネル２との接触部分から雨水が電子装置収納部３ａ内に浸入することを極力防ぐために、電子装置収納部３ａ側の本体ケース３や前面パネル２側に折り返し構造を設けたり、パッキンを装着したりしているものの、前面パネル２と本体ケース３との間から雨水が浸入することを完全に防ぐことは困難である。
【００１８】
開口部３６を塞ぐ前面パネル２には、背面板３１に向かう方向に立設されて、底面板３４の外側を覆う折り返し部（前面パネル側下辺板）２ｂが形成されている。折り返し部２ｂと本体ケース３の底面板３４とがビス止めにて固定されることで、前面パネル２が本体ケース３に固定される。本体ケース３の底面板３４のうち、電子装置収納部３ａを囲む部分の四隅には、水抜き穴６が設けられている(図４等を参照)。
【００１９】
屋外設置電子機器１は、取付板（裏面パネル）５を介して建物の壁などに固定設置される。まず、屋外設置電子機器１を設置したい壁等の垂直な面に、取付板５をビス等で固定する。次に、屋外設置電子機器１を取付板５に固定して、屋外設置電子機器１の壁等への取り付けが完了する。
【００２０】
取付板５は壁等に固定する垂直面（裏面板）５ａと垂直面５ａの下部を折り返した折り返し部（裏面パネル側下辺板）５ｂを有する。屋外設置電子機器１の取付板５への固定においては、折り返し部５ｂと本体ケース３の電子装置収納部３ａの底面板３４とをビス止めすることで固定強度を上げている。
【００２１】
ここで、前面パネル２の折り返し部２ｂは、平面視において、底面板３４に形成された水抜き穴６のうち前面側の２ヵ所の水抜き穴６と重なる。また、折り返し部２ｂと重なる水抜き穴６と折り返し部２ｂとの間には、すき間（例えば１ｍｍ）が形成される（図８も参照）。
【００２２】
例えば、前面パネル２を本体ケース３にビス固定するために折り返し部２ｂに形成された取付穴７を、底面板３４に向けて絞り加工する。これにより、取付穴７の周囲が、底面板３４側に突出した突起１３となる。前面パネル２を本体ケース３に取り付けた際に、この突起１３の高さ分だけ折り返し部２ｂと底面板３４とが離れることですき間が形成される。すなわち、絞り加工によって形成された突起１３が、すき間を形成する間隔保持部として機能する。
【００２３】
取付板５の折り返し部５ｂは、平面視において、底面板３４に形成された水抜き穴６のうち背面側の２ヵ所の水抜き穴６と重なる。また、折り返し部５ｂと重なる水抜き穴６と折り返し部５ｂとの間には、すき間（例えば１ｍｍ）が形成される。
【００２４】
例えば、屋外設置電子機器１を取付板５にビス固定するために折り返し部５ｂに形成された取付穴９を底面板３４に向けて絞り加工する。これにより、取付穴９の周囲が、底面板３４側に突出した突起１３となる。屋外設置電子機器１を取付板５に取り付けた際に、この突起１３の高さ分だけ折り返し部５ｂと底面板３４とが離れることですき間が形成される。すなわち、絞り加工によって形成された突起１３が、すき間を形成する間隔保持部として機能する。
【００２５】
上述した構成により、本屋外設置電子機器１の筐体構造は次のような効果を奏する。本体ケース３の電子装置収納部３ａに雨水が浸入しないように前面パネル２と本体ケース３の電子装置収納部３ａとの接触部は折り返しやパッキン等により防水構造が工夫されているが、それでも浸入してしまった雨水は電子装置収納部３ａを囲む底面板３４の四隅に設けられた水抜き穴６のいずれかにより外部に排出される。
【００２６】
仮に、屋外設置電子機器１の設置において水平度が確保できなかったとしても、底面板３４の四隅のいずれかが必ず下方に位置することになるのでそこに設けられた水抜き穴６から浸入した雨水を外部に排出することができる。それゆえ、本体ケース３の電子装置収納部３ａ内で雨水が蒸発した後に電子装置１１が結露することによって生ずるような不具合の発生を抑えることができる。
【００２７】
また、電子装置収納部３ａを囲む底面板３４の四隅に設けられた水抜き穴６は前面パネル２の折り返し部２ｂあるいは取付板５の折り返し部５ｂによって、すき間を持って覆われているため、円滑な雨水の排出を可能とするとともに、外部の塵埃等が水抜き穴６から電子装置収納部３ａ内に侵入することを抑えることができる。したがって、侵入した塵埃によるトラッキングや接触不良、短絡等の不具合の発生を抑えることができる。
【００２８】
なお、水抜き穴６を覆う構成は、前面パネル２や取付板５の一部で覆う構成に限られず、別部品としてのカバーを取り付けてもよい。ただし、前面パネル２あるいは取付板５の折り返し部２ｂ，５ｂで実現することで、部品点数の削減や、取り付け工数の削減を図ることができる。
【００２９】
また、前面パネル２の折り返し部２ｂあるいは取付板５の折り返し部５ｂには、本体ケース３の底面板３４にビス止めするための取付穴７が設けられているが、この取付穴７を絞り加工により底面板３４側に向けて一定の高さを持たせているため、底面板３４と折り返し部２ｂ，５ｂとを当てた状態でビス止めするだけで前述したすき間を容易に実現することが可能である。すなわち、前面パネル２を本体ケース３に取り付けたり、屋外設置電子機器１を取付板５に固定したりするためにビス止めするという作業を行うだけで、好適な間隔を持たせて水抜き穴６を覆うことができ、施工性の向上を図ることができる。
【００３０】
また、前面パネル２の折り返し部２ｂに対し、電子装置収納部３ａの水抜き穴６よりも前面側に別の水抜き穴として前面パネル側水抜き穴８を設けることにより、本体が前方に傾いた状態で設置されても電子装置収納部３ａの水抜き穴６から排出された雨水が、前面パネル側水抜き穴８から排出される。これにより、前面パネル２の前面板２ａと折り返し部２ｂとの角部に雨水が溜まりにくくなる。したがって、前面板２ａと折り返し部２ｂとの角部に雨水が溜まって生ずる不具合(例えば前面パネル２の腐食等)を防ぐことができる。
【００３１】
また、取付板５の折り返し部５ｂに対し、電子装置収納部３ａの水抜き穴６よりも背面側に別の水抜き穴として裏面パネル側水抜き穴１０を設けることにより、本体が後方に傾いた状態で設置されても電子装置収納部３ａの水抜き穴６から排出された雨水が、裏面パネル側水抜き穴１０から排出される。これにより、取付板５の垂直面５ａと折り返し部５ｂとの角部に雨水が溜まりにくくなる。したがって、垂直面５ａと折り返し部５ｂとの角部に雨水が溜まって生ずる不具合(例えば取付板５の腐食等)を防ぐことができる。
【００３２】
実施の形態２．
図８は、本発明の実施の形態２にかかる屋外設置電子機器５１を側面側から見た断面図である。なお、上記実施の形態と同様の構成については、同様の符号を付して詳細な説明を省略する。
【００３３】
本実施の形態２では、底面板３４のうち、電子装置収納部３ａを囲む部分の前面側となる二隅に水抜き穴６が形成されている。また、底面板３４のうち電子装置収納部３ａを囲む部分は、背面側よりも前面側が低くなるように傾斜が設けられている。
【００３４】
このように構成することで、設置する際に、設置箇所の状況等によって、屋外設置電子機器５１を後方に傾けて設置してしまった場合であっても、底面板３４のうち電子装置収納部３ａを囲む部分で前面側が低くなるような傾斜を維持しやすくなる。
【００３５】
底面板３４のうち電子装置収納部３ａを囲む部分で前面側が低くなるような傾斜が維持されれば、電子装置収納部３ａ内に侵入した雨水は、前面側に誘導されるとともに、前面側の二隅に形成された水抜き穴６から排出される。したがって、水抜き穴６の形成されていない背面側に水が溜まりにくくなり、電子装置１１が結露することによって生ずるような不具合の発生を抑えることができる。
【００３６】
また、水抜き穴６の個数を２個に抑えることで、取付板５側での水抜き穴の加工や絞り加工を省略することができる。また、取付板５から折り返し部５ｂ自体を省略することもできるとともに、絞り加工を行う箇所も減らすことができる。したがって、材料費や加工費の削減を図ることができる。
【００３７】
なお、本実施の形態２では、底面板３４のうち、電子装置収納部３ａを囲む部分にのみ傾斜を設けた例を挙げて説明したが、ヒートシンク収納部３ｂを囲む部分も含めて底面板３４全体に傾斜を設けるようにしてもよい。
【００３８】
また、底面板３４のうち、電子装置収納部３ａを囲む部分の背面側となる二隅に水抜き穴６を形成し、前面側よりも背面側が低くなるように傾斜を設けてもよい。この場合には、屋外設置電子機器５１を前方側に傾けて設置した場合であっても、底面板３４のうち電子装置収納部３ａを囲む部分が背面側に傾斜する範囲の傾きであれば、雨水を円滑に水抜き穴６から排出させることができる。
【産業上の利用可能性】
【００３９】
以上のように、本発明にかかる筐体は、屋外に設置される屋外設置電子機器の筐体に有用である。
【符号の説明】
【００４０】
１，５１  屋外設置電子機器、２  前面パネル、２ａ  前面板、２ｂ  折り返し部（前面パネル側下辺板）、３  本体ケース、３ａ  電子装置収納部、３ｂ  ヒートシンク収納部、４  スリット、５  取付板（裏面パネル）、５ａ  垂直面（裏面板）、５ｂ  折り返し部（裏面パネル側下辺板）、６  水抜き穴、７  取付穴、８  前面パネル側水抜き穴、９  取付穴、１０  裏面パネル側水抜き穴、１１  電子装置、１２  ヒートシンク、１３  突起、３１  背面板、３２  天面板、３３  側面板、３４  底面板、３５  閉塞板、３６  開口部。
【図１】
2015012140.tif 000003
【図２】
2015012140.tif 000004
【図３】
2015012140.tif 000005
【図４】
2015012140.tif 000006
【図５】
2015012140.tif 000007
【図６】
2015012140.tif 000008
【図７】
2015012140.tif 000009
【図８】
2015012140.tif 000010